(57)【要約】【課題】再生表示する時の周囲光（環境光）の色度の違いによらず、視認性を簡単に確保できるようにする。【解決手段】画像表示部６の周囲の輝度及び色度を検出する環境光／輝度／色度検出センサー７を設け、環境光／輝度／色度検出センサー７によって検出された輝度及び色度に基づいて、色度補正量を求める。そして、求めた色度補正量によってホワイトバランス補正を行うようにして、再生表示する時の周囲光（環境光）の色度の違いによらず、視認性を簡単に確保できるようにする。【選択図】図１
2010041609.tif 000002
【特許請求の範囲】
【請求項１】
画像を表示手段に表示する表示制御手段と、
前記表示手段の周囲の輝度及び色度を検出する検出手段と、
前記検出手段によって検出された輝度及び色度に基づいて、前記表示手段に表示する対象となる画像データに対して色度補正を行う補正手段とを有することを特徴とする画像処理装置。
【請求項２】
同一の被写体が撮影された複数の画像データを入力する入力手段と、
前記入力手段によって入力された画像データに基づく画像を表示手段に表示する表示制御手段と、
前記表示手段の周囲の輝度及び色度を検出する検出手段と、
前記入力手段によって入力された複数の画像データのうち、１つの画像データに対して前記検出手段によって検出された輝度及び色度に基づく色度補正を行い、他の画像データに対しても前記１つの画像データに対する色度補正と同じ条件で色度補正を行う補正手段とを有することを特徴とする画像処理装置。
【請求項３】
前記補正手段は、前記検出手段によって検出された色度に対して前記検出された輝度の重み付けを行うことにより色度補正を行うことを特徴とする請求項１または２に記載の画像処理装置。
【請求項４】
前記画像処理装置に装着されているレンズの情報を記憶する記憶手段をさらに有し、
前記検出手段は、前記記憶手段に記憶されているレンズの情報に基づいて、前記色度のサンプリング間隔を変更することを特徴とする請求項１に記載の画像処理装置。
【請求項５】
画像を表示手段に表示する表示制御工程と、
前記表示手段の周囲の輝度及び色度を検出する検出工程と、
前記検出工程において検出された輝度及び色度に基づいて、前記表示手段に表示する対象となる画像データに対して色度補正を行う補正工程とを有することを特徴とする画像処理方法。
【請求項６】
同一の被写体が撮影された複数の画像データを入力する入力工程と、
前記入力工程において入力された画像データに基づく画像を表示手段に表示する表示制御工程と、
前記表示手段の周囲の輝度及び色度を検出する検出工程と、
前記入力工程において入力された複数の画像データのうち、１つの画像データに対して前記検出工程において検出された輝度及び色度に基づく色度補正を行い、他の画像データに対しても前記１つの画像データに対する色度補正と同じ条件で色度補正を行う補正工程とを有することを特徴とする画像処理方法。
【請求項７】
前記補正工程においては、前記検出工程において検出された色度に対して前記検出された輝度の重み付けを行うことにより色度補正を行うことを特徴とする請求項５または６に記載の画像処理方法。
【請求項８】
前記検出工程においては、画像処理装置に装着されているレンズの情報に基づいて、前記色度のサンプリング間隔を変更することを特徴とする請求項５に記載の画像処理方法。
【請求項９】
画像を表示手段に表示する表示制御工程と、
前記表示手段の周囲の輝度及び色度を検出する検出工程と、
前記検出工程において検出された輝度及び色度に基づいて、前記表示手段に表示する対象となる画像データに対して色度補正を行う補正工程とをコンピュータに実行させることを特徴とするプログラム。
【請求項１０】
同一の被写体が撮影された複数の画像データを入力する入力工程と、
前記入力工程において入力された画像データに基づく画像を表示手段に表示する表示制御工程と、
前記表示手段の周囲の輝度及び色度を検出する検出工程と、
前記入力工程において入力された複数の画像データのうち、１つの画像データに対して前記検出工程において検出された輝度及び色度に基づく色度補正を行い、他の画像データに対しても前記１つの画像データに対する色度補正と同じ条件で色度補正を行う補正工程とをコンピュータに実行させることを特徴とするプログラム。
【請求項１１】
請求項９または１０に記載のプログラムを記憶したことを特徴とするコンピュータ読み取り可能な記憶媒体。
【発明の詳細な説明】
【技術分野】
【０００１】
本発明は画像処理装置、画像処理方法、プログラム及び記憶媒体に関し、特に、ホワイトバランスを行うために用いて好適な技術に関する。
【背景技術】
【０００２】
液晶では、電圧を印加して透過率を変えることによって輝度差が生じ、画像等が表示される。また、電圧の印加レベルによって液晶材料の配向が変化し、透過率が変わる。そのため、液晶に画像等を表示させる場合には、照明光が必要である。ところが、透過型の液晶でも周囲光（環境光）により色が変動してしまうことが起こる。例えば、日中と夕方とでは太陽光の色（色温度）が変わるため、同じ画像を表示しても、色味が異なってしまう。また、室内であっても、光源の色温度による影響を受けてしまう。
【０００３】
このような問題点を解決するために、例えば、特許文献１に記載のデジタルカメラでは、外光の色成分を検出した結果に基づいて、カラー画像データの少なくとも２つの色の信号レベルの利得を制御して、表示画像を調整している。
【０００４】
また、特許文献２に記載の画像観察装置では、外光型（反射型）の表示機能で表示するときは、撮影時の外光情報と再生時の外光情報とから表示画像を補正する。また、内部発光型と外光型との２つの観察機能を備えている場合には、選択した観察機能に合わせて補正処理をオン／オフしている。
【０００５】
【特許文献１】特開２００１−２６８４０５号公報
【特許文献２】特開２００３−２０９８５５号公報
【発明の開示】
【発明が解決しようとする課題】
【０００６】
前述のように、液晶表示素子は周囲光（環境光）により色が変動する。また、人は周囲光（環境光）に順応することにより色の変動を認識することになる。そのため、環境が変化すると、同じ撮影画像でありながら、再生表示の際の周囲光（環境光）の違いにより、感じる色合い（色度）が変化してしまう。
【０００７】
前記特許文献１では、少なくとも２つの色の信号レベルの利得を制御して、表示画像を調整するが、輝度レベルに応じた色度点移動は、輝度値に応じた色度点補正情報を用意し、その細やかさを表示画像への影響を確認しながら構築しなくてはならない。したがって、サンプル間のばらつきによっては、サンプルごとに個別に輝度値に応じた色度点補正情報を用意する必要もある。
【０００８】
一方、前記特許文献２に記載の技術では、撮影時の周囲光（環境光）情報が画像データに付加されている。そして、周囲光（環境光）を利用して表示するときは、撮影時と同じ「見え」となるように、再生表示する時の外光の色温度に撮影時の周囲光（環境光）の色温度を加味した表示画像の補正処理を行う。ところが、透過型機能を使う際には補正処理を取りやめてしまうため、周囲光（環境光）の強さに応じた影響が出てしまう。
【０００９】
本発明は前述の問題点に鑑み、再生表示する時の周囲光（環境光）の色度の違いによらず、視認性を簡単に確保できるようにすることを目的としている。
【課題を解決するための手段】
【００１０】
本発明の画像処理装置は、画像を表示手段に表示する表示制御手段と、前記表示手段の周囲の輝度及び色度を検出する検出手段と、前記検出手段によって検出された輝度及び色度に基づいて、前記表示手段に表示する対象となる画像データに対して色度補正を行う補正手段とを有することを特徴とする。
また、本発明の画像処理装置の他の特徴とするところは、同一の被写体が撮影された複数の画像データを入力する入力手段と、前記入力手段によって入力された画像データに基づく画像を表示手段に表示する表示制御手段と、前記表示手段の周囲の輝度及び色度を検出する検出手段と、前記入力手段によって入力された複数の画像データのうち、１つの画像データに対して前記検出手段によって検出された輝度及び色度に基づく色度補正を行い、他の画像データに対しても前記１つの画像データに対する色度補正と同じ条件で色度補正を行う補正手段とを有することを特徴とする。
【００１１】
本発明の画像処理方法は、画像を表示手段に表示する表示制御工程と、前記表示手段の周囲の輝度及び色度を検出する検出工程と、前記検出工程において検出された輝度及び色度に基づいて、前記表示手段に表示する対象となる画像データに対して色度補正を行う補正工程とを有することを特徴とする。
また、本発明の画像処理方法の他の特徴とするところは、同一の被写体が撮影された複数の画像データを入力する入力工程と、前記入力工程において入力された画像データに基づく画像を表示手段に表示する表示制御工程と、前記表示手段の周囲の輝度及び色度を検出する検出工程と、前記入力工程において入力された複数の画像データのうち、１つの画像データに対して前記検出工程において検出された輝度及び色度に基づく色度補正を行い、他の画像データに対しても前記１つの画像データに対する色度補正と同じ条件で色度補正を行う補正工程とを有することを特徴とする。
【００１２】
本発明のプログラムは、画像を表示手段に表示する表示制御工程と、前記表示手段の周囲の輝度及び色度を検出する検出工程と、前記検出工程において検出された輝度及び色度に基づいて、前記表示手段に表示する対象となる画像データに対して色度補正を行う補正工程とをコンピュータに実行させることを特徴とする。
また、本発明のプログラムの他の特徴とするところは、同一の被写体が撮影された複数の画像データを入力する入力工程と、前記入力工程において入力された画像データに基づく画像を表示手段に表示する表示制御工程と、前記表示手段の周囲の輝度及び色度を検出する検出工程と、前記入力工程において入力された複数の画像データのうち、１つの画像データに対して前記検出工程において検出された輝度及び色度に基づく色度補正を行い、他の画像データに対しても前記１つの画像データに対する色度補正と同じ条件で色度補正を行う補正工程とをコンピュータに実行させることを特徴とする。
【００１３】
本発明の記憶媒体は、前記の何れかに記載のプログラムを記憶したことを特徴とする。
【発明の効果】
【００１４】
本発明によれば、再生表示する時の周囲光（環境光）の色度の違いによらず、環境光による視認性への影響を簡単に改善することができる。
【発明を実施するための最良の形態】
【００１５】
（第１の実施形態）
以下、本発明の第１の実施形態について図面を参照しながら説明する。
図１は、本実施形態に係る画像処理装置１００の構成例を示すブロック図である。本実施形態では、デジタルカメラに画像処理装置１００を適用した例について説明する。
【００１６】
図１に示すように、本実施形態の画像処理装置１００は、制御手段として機能して全体の制御を行うマイコンＰＲＳ１４０と、ＣＣＤまたはＣＭＯＳエリアセンサ等からなる撮像部１３とを具備している。また、撮像部１３から入力された画像信号を処理する画像処理部１４１、カメラの撮影画像を表示する画像表示部６、複数の画像データを保存する不揮発性の記憶部材からなる外部記憶装置９等も具備している。
【００１７】
マイコンＰＲＳ１４０は、例えば、内部にＣＰＵ（中央演算処理部）、ＲＡＭ、ＲＯＭ、不揮発性メモリ、入出力ポート等が配置されたワンチップのコンピュータ（以下、マイコンと略記する）である。
【００１８】
マイコンＰＲＳ１４０は、ＲＯＭに格納されたシーケンスプログラムに基づいて、一連の動作を行う。また、マイコンＰＲＳ１４０に内蔵されている不揮発性メモリには、一連のパラメータが格納されている。例えば、露出制御や焦点調節に関する調整値等を含む一連のカメラの制御パラメータや、撮像素子の調整値、撮影画像のホワイトバランスから画像表示部６に撮影画像を表示する際の制御値のデータなどのパラメータが格納されている。このように、画像処理の制御、調正に関係する一連のパラメータが不揮発性メモリに格納されている。
【００１９】
撮像部１３は、ＣＣＤまたはＣＭＯＳエリアセンサ等の撮像素子と該撮像素子を駆動するセンサ駆動部とからなる。撮像部１３は、レンズ部５の光学系を通じて、撮影領域からの光束を撮像素子上に結像させており、撮像素子はこの光学像を光電変換し、電気信号として画像処理部１４１へ出力する。
【００２０】
画像処理部１４１は、さらに、撮像画像補正部１４６、インターフェイス（ＩＦ）部１４８、ＶＲＡＭ部１４９、リサイズ部１５０から構成されている。撮像画像補正部１４６は、Ａ／Ｄ変換機能を備え、撮像部１３から入力された電気信号をＡ／Ｄ変換し、暗電流補正やシェーディング補正など、撮像部１３に起因する一連の補正を行う。
【００２１】
また、画像処理部１４１では、ローパスフィルタによりノイズ成分を除去し、画素及び色補間処理、ホワイトバランスやガンマ補正等、いわゆる画像そのものに関する一連の画像処理を行う。ＩＦ部１４８では、一連の画像処理を行った撮影画像データを後述する外部記憶装置９へ送り出したり、外部記憶装置９に記録された撮影画像データを読み出したりする。
【００２２】
また、画像処理部１４１は、画像処理された撮影画像データや、外部記憶装置９に記憶された撮影画像データに対して表示のための一連の処理を行い、ＩＦ部１４８を介して画像表示部６へ出力する。なお、ＩＦ部１４８から画像表示部６へ撮影画像データを出力するまでの一連の処理は、リサイズ部１５０及びＶＲＡＭ部１４９を経由して行われる。
【００２３】
リサイズ部１５０は、撮影画像データをＬＣＤ表示部１４３に表示可能な解像度に解像度変換し、ＶＲＡＭ部１４９に一旦格納する。そして、ＶＲＡＭ部１４９に格納された撮影画像データは、画像表示部６に出力される。
【００２４】
画像表示部６は、ＬＣＤ制御部１４２とＬＣＤ表示部１４３とから構成されている。ＬＣＤ制御部１４２はさらに、ホワイトバランス（ＷＢ）調整部５０１と、コントラスト調整部５０２と、輝度調整部５０３と、γ補正部１５２と、Ｄ／Ａ変換部１５３と、不図示のＬＣＤドライバーとからなる。
【００２５】
ＷＢ調整部５０１は補正手段として機能し、画像処理部１４１のＶＲＡＭ部１４９から出力された表示対象となる撮影画像データに対して、マイコンＰＲＳ１４０から送られる設定値によりホワイトバランス調整を行う。なお、ＷＢ調整部５０１の詳細については図２〜図４を参照しながら後述する。
【００２６】
コントラスト調整部５０２は、ホワイトバランス調整された表示対象となる撮影画像データのコントラストを可変する。可変内容はマイコンＰＲＳ１４０から送られる設定値により決定する。輝度調整部５０３は、コントラスト調整された撮影画像データの輝度を可変する。可変内容はマイコンＰＲＳ１４０から送られる設定値により決定する。
【００２７】
γ補正部１５２は、輝度調整部５０３において輝度調整された撮影画像データに対してＬＣＤ表示器に適したガンマ補正を行い、Ｄ／Ａ変換部１５３は、ガンマ補正が行われた撮影画像データをＬＣＤ表示部１４３へ出力する信号に変換する。不図示のＬＣＤドライバーは表示制御手段として機能し、Ｄ／Ａ変換部１５３にてＤ／Ａ変換された撮影画像データに同期させて、ＬＣＤ表示部１４３の駆動信号を出力する。
【００２８】
表示手段であるＬＣＤ表示部１４３は、ＬＣＤ表示パネル及びバックライトからなるＬＣＤ表示器である。ＬＣＤ表示部１４３に表示される対象となる撮影画像データは、前述した撮像部１３で撮像された画像データのほかに、外部記憶装置９に記憶した画像データや、カメラの設定情報がある。
【００２９】
外部記憶装置９は、例えば、ＳＤカードのような複数の画像データを保存することができる不揮発性の記憶部材であって、画像処理装置１００から着脱可能なものである。そして、画像処理装置１００に装着した状態で画像処理部１４１から出力される撮影画像データを記憶する。これにより、１つまたは複数の撮影画像データを記憶した後に、画像処理装置１００から取り外して、本システムのデータ形式で読み出し可能な別のシステムに装着すれば、記憶されている撮影画像データの再生、編集、及び保存が可能となる。
【００３０】
また、画像処理装置１００本体に外部記憶装置９を再度装着することによって、本システムのデータ形式で読み出し可能な画像データであれば、読み出し後、画像処理部１４１において最適な信号処理を行うことができる。そして、ＬＣＤ制御部１４２においてＬＣＤ表示部１４３に表示するための処理を行った後に、ＬＣＤ表示部１４３に画像を表示することができる。
【００３１】
焦点検出部４は、結像面近傍に配置されたフィールドレンズ、反射ミラー、２次結像レンズ、絞り、及び複数の光電変換素子らかなるＣＣＤ等のラインセンサから構成されている。本実施形態における焦点検出部４は、周知の位相差方式であるとともに、観察画面内（ファインダ視野内）の複数の領域を測距点として、該測距点で焦点を検出することが可能となるように構成されている。
【００３２】
レンズ部５には、焦点調節回路及び絞り駆動回路が組み込まれており、不図示のマウント接点を介してマイコンＰＲＳ１４０と信号の伝達がなされる。マイコンＰＲＳ１４０は焦点検出部４から出力される信号に基づき、レンズ部５に内蔵されている焦点調節回路を動作して、最適な焦点調節となる信号を出力する。さらに、不図示の測光回路から出力される信号に基づいて、レンズ部５に内蔵されている絞り駆動回路を動作して、最適な露光量となる信号を出力する。なお、検出手段として機能する環境光／輝度／色度検出センサー７の動作については後述する。
【００３３】
次に、ホワイトバランスに関わる動作について、図２〜図４を参照しながら説明する。図２は、本実施形態において、表示対象となる撮影画像データのホワイトバランス処理の動作手順の一例を示すフローチャートである。なお、図２に示す各処理は、図１のマイコンＰＲＳ１４０、環境光／輝度／色度検出センサー７、ＬＣＤ制御部１４２内のＷＢ調整部５０１によって行われる。
【００３４】
また、それぞれの処理の制御は、マイコンＰＲＳ１４０からなされ、ホワイトバランスを行う際には、環境光／輝度／色度検出センサー７による検出結果から、ホワイトバランスで補正する量を求める。さらに、マイコンＰＲＳ１４０は、ＬＣＤ制御部１４２のＷＢ調整部５０１で用いられる制御値となるパラメータに換算し、その値をＬＣＤ制御部１４２に設定する。
【００３５】
まず、ステップＳ２０１において、マイコンＰＲＳ１４０は、表示しようとする撮影画像データからホワイトバランス補正を行うか否を判断するための処理を行う。次に、ステップＳ２０２において、対象となる撮影画像データがホワイトバランス補正を行う対象であるか否かを判断する。
【００３６】
この判断の結果、ホワイトバランス補正を行う場合は、ステップＳ２０３に進み、マイコンＰＲＳ１４０は、環境光／輝度／色度検出センサー７による周囲の環境光の測定値や、色度に基づいて設定値を決定する。そして、ステップＳ２０４において、ＷＢ調整部５０１は、ホワイトバランス調整を行う。
【００３７】
一方、ステップＳ２０２の判断の結果、ホワイトバランス補正を行わない場合は、ステップＳ２０５に進む。そして、ステップＳ２０５において、表示対象となる撮影画像データをＬＣＤ表示部１４３に表示するための一連の表示処理を行う。ここで、一連の表示処理とは、画像処理部１４１内のリサイズ部１５０による解像度変換から画像表示部６のＬＣＤ表示部１４３に画像を表示するまでの処理である。
【００３８】
図３は、図２のステップＳ２０１及びＳ２０２におけるホワイトバランス補正を行うか否かを判断するための処理手順の一例を示すフローチャートである。図３に示す各処理は、環境光／輝度／色度検出センサー７の出力から周囲光（環境光）の変化を検出し、その大きさにより、色度の変化量を求めるために行う処理である。
【００３９】
まず、ステップＳ３０１において、マイコンＰＲＳ１４０は、環境光／輝度／色度検出センサー７を動作させて、周囲光（環境光）を測定する。次に、ステップＳ３０２において、マイコンＰＲＳ１４０は、環境光／輝度／色度検出センサー７を用いて繰り返し測定した周囲光の中のＧ成分の変化から輝度の変化量を求める。
【００４０】
次に、ステップＳ３０３において、輝度の変化量が所定値より大きいか否かを判断する。この判断の結果、所定値以下である場合は、ＷＢは行わないものと判断する。一方、ステップＳ３０３の判断の結果、所定値よりも大きい場合は、ステップＳ３０４に進み、繰り返し測定したＧ成分、Ｂ成分の変化量から色度の変化量を求める。
【００４１】
次に、ステップＳ３０５において、求めた色度の変化量から、色度補正を行うか否かを判断する。この判断の結果、色度補正を行う場合は、ステップＳ３０６に進み、Ｇ成分を加味して輝度の重み付けがなされた補正量を求める処理手続きとなるようにする。一方、ステップＳ３０５の判断の結果、色度補正を行わない場合は、ＷＢは行わないものと判断する。
【００４２】
図４は、図２のステップＳ２０４におけるホワイトバランス補正の処理手順の一例を示すフローチャートである。
まず、ステップＳ４０１において、図３に示す処理で求めたＲＧＢ各成分から輝度の重み付けを考慮したホワイトバランスの色度補正量を求める。
【００４３】
この色度補正量は、補正テーブルデータとして、予め、マイコンＰＲＳ１４０に内蔵されている不揮発性メモリに記録されている情報から求めることができる。補正テーブルデータの内容は、例えば、ホワイトバランスにより得られる色度についての情報である。求めたＲＧＢ各成分から色度のずれ、すなわち補正したい量が得られる。
【００４４】
次に、ステップＳ４０２において、色度補正量からＲ、Ｂの補正量を、例えば色度ｘ、ｙとＲ、Ｇ、Ｂとの関係を示す公知の式を用いて算出する。そして、ステップＳ４０３において、算出したＲ、Ｂの補正量により表示対象の撮影画像データ全体の補正を行う。なお、本実施形態では、ホワイトバランスによる輝度の変動を小さくするために補正はＲ、Ｂのみを用いて行う。また、ステップＳ４０１で求めた色度補正量が大きい場合には、急峻な色度補正を行わず、段階的に補正するようにしてもよい。
【００４５】
以上のように本実施形態によれば、周囲光（環境光）の輝度による重み付けがなされた補正量を求めるようにした。これにより、そのときの明るさに応じたホワイトバランス補正を行うことができ、結果として、視認性が変化せず、違和感のない画像を表示することができる。
【００４６】
（第２の実施形態）
以下、本発明の第２の実施形態について、図面を参照しながら説明する。第１の実施形態では、周囲光（環境光）の輝度の変化に基づいて、補正動作を行った。本実施形態では、被写体が同一である場合など、表示画像の関連性からホワイトバランスの調整内容を制御する。なお、本実施形態の画像処理装置の構成は、第１の実施形態で説明した図１の構成は同じであるため、第１の実施形態と異なる点のみ説明する。
【００４７】
本実施形態では、表示する対象となる撮影画像データが連続撮影されたものであるか否かを判定し、連続撮影されたものと判定した場合には、先頭の駒の補正内容で固定する。最初の駒である場合には、図３に示した手順で輝度の重み付けがなされた補正量を求める。以後の駒についてはその補正量を用いてホワイトバランス調整を行うようにする。
【００４８】
図５は、図２のステップＳ２０１及びＳ２０２におけるホワイトバランス補正を行うか否かを判断するための動作手順の一例を示すフローチャートである。図５に示す各処理は、ＬＣＤ表示部１４３に表示する画像の関連性を確認するために行う処理である。なお、本実施形態では、連続撮影と判断した場合は、ホワイトバランス補正を行い、連続撮影でない場合にはホワイトバランス補正を行わない例について説明する。
【００４９】
まず、ステップＳ５０１において、表示対象となる撮影画像データに付加されている撮影情報を参照し、撮影画像データが連写モードで撮影された画像データであるか否かを判断する。この判断の結果、連写モードで撮影された画像データである場合は、ステップＳ５０８に進む。一方、ステップＳ５０１の判断の結果、連写モードで撮影された画像データでない場合は、ステップＳ５０２に進む。そして、ステップＳ５０２において、撮影画像データが単写モードで撮影された画像データであるか否かを判断する。この判断の結果、単写モードで撮影された画像データである場合は、ステップＳ５０３に進む。
【００５０】
一方、ステップＳ５０２の判断の結果、単写モードで撮影された画像データでない場合は、ステップＳ５０６に進む。次に、ステップＳ５０３において、撮影間隔が例えば１秒未満であったか否かを判断する。この判断の結果、１秒未満であった場合は、ステップＳ５０４に進む。一方、ステップＳ５０３の判断の結果、１秒以上である場合は、ステップＳ５０６に進む。
【００５１】
次に、ステップＳ５０４において、被写体との距離変動が所定値よりも小さいか否かを判断する。この判断の結果、所定値よりも小さい場合は、ステップＳ５０５に進む。一方、ステップＳ５０４の判断の結果、所定値以上である場合は、ステップＳ５０６に進む。次に、ステップＳ５０５において、カメラの移動量が所定値よりも小さいか否かを判断する。この判断の結果、所定値よりも小さい場合は、ステップＳ５０８に進む。一方、ステップＳ５０５の判断の結果、所定値以上である場合は、ステップＳ５０６に進む。
【００５２】
次に、ステップＳ５０６において、さらに、撮影時にＡＥＢ（Auto Exposure Bracketing）モードが動作中であったか否かを判断する。この判断の結果、ＡＥＢモードが動作中であった場合は、ステップＳ５０８に進む。一方、ステップＳ５０６の判断の結果、ＡＥＢモードが動作中でなかった場合は、ステップＳ５０７に進む。そして、ステップＳ５０７において、撮影時にホワイトバランス（ＷＢ）ブラケットモードが動作中であったか否かを判断する。
【００５３】
この判断の結果、ＷＢブラケットモードが動作中であった場合は、ステップＳ５０８に進む。そして、ステップＳ５０８において、同じ被写体の連続撮影と判断し、処理を終了する。すなわち、以降の処理でホワイトバランスの調整を行う。一方、ステップＳ５０７の判断の結果、ＷＢブラケットモードが動作中でなかった場合は、ホワイトバランス補正を行わないものと判断し、処理を終了する。
【００５４】
なお、連写モード、単写モード、ＡＥＢモード、及びＷＢブラケットモードの各機能が撮影時に動作していたか否かについては、画像データに付加されている撮影情報から判断する。また、単写モードであった場合において、撮影間隔については、画像データに付加されている撮影情報から連続する駒の時間差を求める。
【００５５】
さらに、被写体との距離変動については、連続する駒間における焦点調節のためのレンズ駆動量から求め、その量の大きさから判断する。また、カメラの移動量については、画像処理装置５００に内蔵されている不図示の加速度センサの出力結果から求め、出力結果が大きいときには移動量が大きいものと判断する。
【００５６】
前述したように、同じ被写体の連続撮影と判断したときには、以降の処理でホワイトバランスの調整を行う。一方、連写モード、ＡＥＢモード及びＷＢブラケットモードのいずれの動作も撮影時に機能しておらず、さらに、単写モードであっても、ステップＳ５０３〜Ｓ５０５の判断のうち、少なくとも１つがＮＯである場合は、同じ被写体の連続撮影と判断しない。したがって、ホワイトバランス補正は行われない。
【００５７】
図６は、図２のステップＳ２０４におけるホワイトバランス補正の処理手順の一例を示すフローチャートである。
まず、ステップＳ６０１において、図３に示す処理で求めたＲＧＢ各成分から輝度の重み付けを考慮したホワイトバランスの色度補正量を求める。ここで、最初の駒である場合には、図３に示した手順でＲＧＢ各成分を求め、ホワイトバランスの色度補正量を求める。そして、以後の駒については、最初の駒について求めた補正量を用いてホワイトバランスの色度補正量を求める。
【００５８】
この色度補正量は、補正テーブルデータとして、予め、マイコンＰＲＳ１４０に内蔵されている不揮発性メモリに記録されている情報から求めることができる。補正テーブルデータの内容は、例えば、ホワイトバランスにより得られる色度についての情報である。求めたＲＧＢ各成分から色度のずれ、すなわち補正したい量が得られる。
【００５９】
次に、ステップＳ４０２において、色度補正量からＲ、Ｂの補正量を、例えば色度ｘ、ｙとＲ、Ｇ、Ｂとの関係を示す公知の式を用いて算出する。そして、ステップＳ４０３において、マイコンＰＲＳ１４０は補正手段として機能し、算出したＲ、Ｂの補正量によりバックライトの光源であるＬＥＤのＲＧＢ各成分を駆動する。このとき、ＬＥＤのＲＧＢ各成分を駆動する際の電流成分、あるいは、ＤＵＴＹ駆動時のＤＵＴＹ比を補正量に応じた値に設定して行う。
【００６０】
以上のように本実施形態によれば、連続撮影による関連画像がある場合には、補正量を固定するようにしたので、ホワイトバランス補正を簡単に行うことができる。また、ＬＥＤのＲＧＢ各成分を駆動することによりホワイトバランス補正を行うようにしたので、表示画像そのものをホワイトバランスするよりも簡単に実現することができる。
【００６１】
（第３の実施形態）
第２の実施形態では、連続撮影である場合は、最初の駒の補正量で固定する例について説明した。一方、現在装着されている、レンズ部５で用いられているレンズの種類によって、色度のサンプリング間隔を変更するようにしてもよい。このとき、レンズの種類の情報は、マイコンＰＲＳ１４０に内蔵されている不揮発性メモリに記憶される。
【００６２】
例えば、望遠系レンズのような重いレンズを使用している場合は、カメラの移動が少ないので、環境光／輝度／色度検出センサー７による色度のサンプリング間隔を広げるようにする。一方、１００ｍｍ〜標準程度の短いレンズや広角レンズを使用している場合は、カメラの移動は並以上であるため、環境光／輝度／色度検出センサー７による色度のサンプリング間隔を最小にする。
【００６３】
また、特に、広角レンズを用いている場合には、カメラの移動は多いので、撮像系のホワイトバランス情報を併用してもよい。すなわち、環境光／輝度／色度検出センサー７による色度のサンプリングによって求めた補正量と、撮影画像データそのものに対応したホワイトバランス補正量とから、最終的な補正量を求めるようにしてもよい。
【００６４】
（本発明に係る他の実施形態）
本発明は、デジタルカメラに限らず、デジタルカメラ以外の光学機器や他の装置などの表示部であれば適用できる。また、ＬＣＤ表示器に限らず、表示機能を有するものであれば適用でき、例えば有機ＥＬ使った表示器であってもよい。
【００６５】
前述した本発明の実施形態における画像処理装置を構成する各手段、並びに画像処理方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００６６】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００６７】
なお、本発明は、前述した実施形態の機能を実現するソフトウェアのプログラム（実施形態では図２〜６に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００６８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６９】
その場合、プログラムの機能を有していれば、オブジェクトコード、インタプリタにより実行されるプログラム、ＯＳに供給するスクリプトデータ等の形態であってもよい。
【００７０】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００７１】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００７２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７３】
また、その他の方法として、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７４】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００７５】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７６】
【図１】本発明の第１の実施形態に係るデジタルカメラを構成する画像処理装置の構成例を示すブロック図である。
【図２】本発明の第１の実施形態において、表示対象となる撮影画像データを読み出して表示するまでの動作手順の一例を示すフローチャートである。
【図３】本発明の第１の実施形態において、ホワイトバランス補正を行うか否かを判断するための動作手順の一例を示すフローチャートである。
【図４】本発明の第１の実施形態におけるホワイトバランス補正の動作手順の一例を示すフローチャートである。
【図５】本発明の第２の実施形態において、ホワイトバランス補正を行うか否かを判断するための動作手順の一例を示すフローチャートである。
【図６】本発明の第２の実施形態におけるホワイトバランス補正の動作手順の一例を示すフローチャートである。
【符号の説明】
【００７７】
４  焦点検出部
５  レンズ部
６  画像表示部
７  環境光／輝度／色度検出センサー
９  外部記憶装置
１３  撮像部
１００  画像処理装置
１４０  マイコンＰＲＳ
１４１  画像処理部
１４２  ＬＣＤ制御部
１４３  ＬＣＤ表示部
１４６  撮像画像補正部
１４８  ＩＦ部
１４９  ＶＲＡＭ部
１５０  リサイズ部
１５２  γ補正部
１５３  Ｄ／Ａ変換部
５０１  ＷＢ調整部
５０２  コントラスト調整部
５０３  輝度調整部
【図１】
2010041609.tif 000003
【図２】
2010041609.tif 000004
【図３】
2010041609.tif 000005
【図４】
2010041609.tif 000006
【図５】
2010041609.tif 000007
【図６】
2010041609.tif 000008